(57)【要約】【課題】  光学式ヘッド装置に用いられる対物レンズと収差補正用素子との中心位置合わせを精度良く行う。【解決手段】  対物レンズ５と収差補正素子６の保持部材７にアパーチャー２１を設けた構成において、対物レンズ５と収差補正素子６との中心位置を合わせるために、保持部材７に貫通孔２３を３箇所以上に亘って形成し、該貫通孔を通して対物レンズ５の外形が収差補正素子６側から見えるように構成した。また、別の構成形態として、収差補正素子６内にアパーチャーを形成して、対物レンズ５と収差補正素子６との中心位置合わせを正確に行えるようにした。【選択図】        図２
2005129100.tif 000002
【特許請求の範囲】
【請求項１】
対物レンズ及び収差補正素子とそれらの保持部材を備え、該対物レンズと収差補正素子との間にアパーチャーを設けた光学式ヘッド装置において、
光軸方向からみた上記対物レンズの中心に対して収差補正素子の中心を位置決めするために、上記対物レンズの取付面と上記収差補正素子の取付面とを連通する貫通孔を３箇所以上に亘って上記保持部材に形成し、該貫通孔を通して上記対物レンズの外形の一部が上記収差補正素子側から見えるように構成した
ことを特徴とする光学式ヘッド装置。
【請求項２】
請求項１に記載した光学式ヘッド装置において、
上記対物レンズの中心に対して上記収差補正素子の中心を位置決めした後で上記貫通孔を塞いだ
ことを特徴とする光学式ヘッド装置。
【請求項３】
対物レンズ及び収差補正素子とそれらの保持部材を備え、該対物レンズと収差補正素子との間にアパーチャーを設けた光学式ヘッド装置において、
上記収差補正素子内に上記アパーチャーを形成した
ことを特徴とする光学式ヘッド装置。
【請求項４】
請求項３に記載した光学式ヘッド装置において、
上記収差補正素子が液晶素子とされ、上記アパーチャーが電極を用いて形成されている
ことを特徴とする光学式ヘッド装置。
【請求項５】
請求項４に記載した光学式ヘッド装置において、
光軸方向からみた上記対物レンズの中心に対して上記収差補正素子の中心を位置決めする場合に、上記アパーチャーを規定する電極が透明状態とされ、該位置決め後の使用時に上記アパーチャーを規定する電極に通電することでその透過率が低下する
ことを特徴とする光学式ヘッド装置。
【請求項６】
請求項３に記載した光学式ヘッド装置において、
波長選択性部材を用いて上記アパーチャーを形成した
ことを特徴とする光学式ヘッド装置。
【請求項７】
請求項３に記載した光学式ヘッド装置において、
光軸方向からみた上記対物レンズの中心に対して上記収差補正素子の中心を合わせるための位置合わせ用マークを上記対物レンズ又は上記収差補正素子に形成した
ことを特徴とする光学式ヘッド装置。
【請求項８】
光学式記録媒体に対して光スポットを照射するための対物レンズと、収差補正素子と、それらの保持部材を備え、該対物レンズと収差補正素子との間にアパーチャーを設けた光学式ヘッド装置の製造方法において、
上記保持部材に取り付けられた対物レンズの中心に対して上記収差補正素子の中心を位置合わせする工程で、上記対物レンズに対して光学式記録媒体側からコヒーレント光を照射し、
上記対物レンズを透過してその焦点に結像した光スポットの中心と、上記収差補正素子の中心との位置合わせを行う
ことを特徴とする光学式ヘッド装置の製造方法。
【請求項９】
光学式記録媒体に対して光スポットを照射するための対物レンズが保持部材に取り付けられ、該保持部材のうち該対物レンズの取付面とは反対側の取付面に収差補正素子が取り付けられるとともに該対物レンズと該収差補正素子との間にアパーチャーが設けられた光学式ヘッド装置において、
上記対物レンズのうち、光学式記録媒体側からコヒーレント光を照射した場合に、該対物レンズを透過した結像スポットの中心と、上記収差補正素子の中心とが共通の光軸上で一致するように設定されている
ことを特徴とする光学式ヘッド装置。
【請求項１０】
対物レンズ及び収差補正素子が保持部材に取り付けられ、該対物レンズと収差補正素子との間にアパーチャーが設けられた光学部品を用いて光学式記録媒体の情報再生又は記録を行う情報処理装置において、
光軸方向からみた上記対物レンズの中心に対して収差補正素子の中心を位置決めするために、上記対物レンズの取付面と上記収差補正素子の取付面とを連通する貫通孔を３箇所以上に亘って上記保持部材に形成し、該貫通孔を通して上記対物レンズの外形の一部が上記収差補正素子側から見えるように構成した
ことを特徴とする情報処理装置。
【請求項１１】
請求項１０に記載した情報処理装置において、
上記対物レンズの中心に対して上記収差補正素子の中心を位置決めした後で上記貫通孔を塞いだ
ことを特徴とする情報処理装置。
【請求項１２】
対物レンズ及び収差補正素子が保持部材に取り付けられ、該対物レンズと収差補正素子との間にアパーチャーが設けられた光学部品を用いて光学式記録媒体の情報再生又は記録を行う情報処理装置において、
上記収差補正素子内に上記アパーチャーを形成した
ことを特徴とする情報処理装置。
【請求項１３】
請求項１２に記載した情報処理装置において、
上記収差補正素子が液晶素子とされ、上記アパーチャーが電極を用いて形成されている
ことを特徴とする情報処理装置。
【請求項１４】
請求項１３に記載した情報処理装置において、
光軸方向からみた上記対物レンズの中心に対して上記収差補正素子の中心を位置決めする場合に、上記アパーチャーを規定する電極が透明状態とされ、該位置決め後の装置使用時に上記アパーチャーを規定する電極に通電することでその透過率が低下する
ことを特徴とする情報処理装置。
【請求項１５】
請求項１２に記載した情報処理装置において、
波長選択性部材を用いて上記アパーチャーを形成した
ことを特徴とする情報処理装置。
【請求項１６】
請求項１２に記載した情報処理装置において、
光軸方向からみた上記対物レンズの中心に対して上記収差補正素子の中心を合わせるための位置合わせ用マークを上記対物レンズ又は上記収差補正素子に形成した
ことを特徴とする情報処理装置。
【発明の詳細な説明】
【技術分野】
【０００１】
本発明は、光学式記録媒体の情報再生や記録を行う装置への適用において、対物レンズと収差補正素子との中心位置合わせを正確に行うための技術に関する。
【背景技術】
【０００２】
光学式記録媒体の情報再生や記録に用いられるヘッド装置（所謂光学ピックアップ）には、光ディスクに対して光スポットを照射するための対物レンズと、球面収差等を補正するための収差補正素子（液晶素子等）を備えた構成が知られており、対物レンズと収差補正素子とを一体にして可動可能に保持した形態が挙げられる（例えば、特許文献１参照。）。
【０００３】
例えば、対物レンズがレンズホルダの一方の面に取り付けられ、液晶素子がレンズホルダの他方の面に取り付けられ、対物レンズと液晶素子との間に位置するレンズホルダ内にアパーチャーが設けられる。
【０００４】
【特許文献１】特開２００３−６９０２号公報
【発明の開示】
【発明が解決しようとする課題】
【０００５】
ところで、従来の構成において、対物レンズの中心軸と収差補正素子の中心軸との位置合わせを精度良く行うことが困難であるか又は作業時間がかかってしまう等の問題がある。
【０００６】
例えば、対物レンズと液晶素子の各中心軸を精度良く合わせた状態でこれらをレンズホルダに取り付けないと、両者の軸ずれが新たな収差の発生原因となってしまう。このような中心位置ずれには、対物レンズのレンズホルダに対する取付精度と、液晶素子のレンズホルダに対する取付精度の両方が関与するため、誤差を十分に小さくすることが難しい。つまり、対物レンズと液晶素子との間にアパーチャーが存在するために、対物レンズの中心位置を液晶素子側から確認することができないので、対物レンズと液晶素子との間の中心位置合わせを直接的に行うことが困難である。よって、収差補正用に設けられた液晶素子について対物レンズに対する位置精度が十分に保証されない場合には、このことが新たな収差発生要因となって光学性能等の低下を齎す虞が生じる。
【０００７】
そこで、本発明は、光学式ヘッド装置に用いられる対物レンズと収差補正素子との中心位置合わせを精度良く行うことを課題とする。
【課題を解決するための手段】
【０００８】
本発明に係る光学式ヘッド装置や情報処理装置は、上記した課題を解決するために、下記（Ｉ）又は（ＩＩ）に示す構成を備えたものである。
【０００９】
（Ｉ）光学系の光軸方向からみた対物レンズの中心に対して収差補正素子の中心位置を合わせるために、該対物レンズ及び収差補正素子の保持部材において、対物レンズの取付面と収差補正素子の取付面とを連通する貫通孔を３箇所以上に亘って形成し、該貫通孔を通して対物レンズの外形が収差補正素子の取付面側から部分的に見えるように構成したこと。
【００１０】
（ＩＩ）対物レンズ及び収差補正素子の保持部材にアパーチャーを設けるのではなく、収差補正素子内にアパーチャーを形成したこと。
【００１１】
従って、本発明では、（Ｉ）の構成形態において、３箇所以上の貫通孔から認識される対物レンズの外形形状に基いてそのレンズ中心位置を知ることができる。また、（ＩＩ）の構成形態では、収差補正素子内にアパーチャーを設けることによって、従来のような対物レンズ、保持部材、収差補正素子の３者に亘る位置決めに起因する取付精度の問題から解放され、対物レンズと収差補正素子との相対的な位置関係として両者の中心位置合わせを正確に行うことができる。
【００１２】
また、本発明に係る光学式ヘッド装置の製造方法は、対物レンズの中心に対して収差補正素子の中心を位置合わせする工程において、対物レンズに対して光学式記録媒体側からコヒーレント光を照射し、対物レンズを透過してその焦点に結像した光スポットの中心と、収差補正素子の中心との位置合わせを行うものである。
【００１３】
従って、この発明によれば、対物レンズと収差補正素子との間に設けられるアパーチャーの存在によって中心位置合わせの精度に影響を及ぼすことがない。
【発明の効果】
【００１４】
本発明に係る光学式ヘッド装置、情報処理装置によれば、対物レンズと収差補正素子との中心位置合わせを精度良く行うことができ、装置の性能を向上させることができる。しかもそのために複雑な機構や調整設備等を必要としないので、製造コスト面でも有利である。
【００１５】
また、上記（Ｉ）の構成形態において、作業後に貫通孔を遮光目的で塞ぐことにより光学式ヘッド装置の使用時における光学的な影響を排除することができる。
【００１６】
上記（ＩＩ）の構成形態において、収差補正素子に液晶素子を用いるとともに、その内部電極でアパーチャーを形成することにより、高い位置精度を得ることができる。そして、位置決め作業ではアパーチャーを規定する電極部が透明状態とされ、作業後の使用時にはアパーチャーを規定する電極部が通電によって遮光されるように構成したり、あるいは、波長選択性部材を用いてアパーチャーを形成することにより、収差補正素子内に設けられるアパーチャーの存在が中心位置合わせの作業に悪影響を及ぼさないようにすることができる。
【００１７】
また、中心位置合わせ用マークを対物レンズ又は収差補正素子に形成する形態では、それぞれの中心を容易に認識することができる。
【００１８】
本発明に係る光学式ヘッド装置の製造方法によれば、対物レンズを透過した結像光スポットの中心を基準として、収差補正素子の中心を位置合わせすることができ、簡易な設備で精度良く作業を行うことができる。
【発明を実施するための最良の形態】
【００１９】
図１は、本発明に係る情報処理装置の構成例を示したものであり、情報処理装置１は光学式記録媒体２に対する光照射を利用して情報再生や記録を行うための光学式ヘッド装置３を備えている。尚、光学式記録媒体２としては、例えば、スピンドルモータ４を用いて回転される光ディスクや光磁気ディスク、相変化型ディスク等のディスク状記録媒体が用いられるが、これに限らず、カード形媒体等への適用が可能である。
【００２０】
光学式ヘッド装置３は、光学式記録媒体２に対して光を照射するための対物レンズ５と収差補正素子６を有し、それらが保持部材（ホルダ）７に取り付けられている。そして、保持部材７を含む可動部の駆動手段８（所謂２軸アクチュエータ）が設けられており、該可動部が光学式記録媒体２に対するフォーカス方向及びトラッキング方向に駆動制御される。
【００２１】
本例に示す光学系では、レーザーダイオードを含む発光部９から発した光が、グレーティング１０、偏光ビームスプリッタ１１を透過した後、コリメータレンズ１２により平行光線となる。そして、１／４波長板１３を通ってから収差補正素子６を透過した光が対物レンズ５から光学式記録媒体２に向けて照射される。
【００２２】
光学式記録媒体２の記録層で反射された戻り光は、往路とは逆向きの経路を辿って対物レンズ５、収差補正素子６、１／４波長板１３、コリメータレンズ１２を透過した後、偏光ビームスプリッタ１１で９０°の光路変更を受け、レンズ１４（所謂マルチレンズ）を介して受光部１５に到達する。
【００２３】
尚、本例では、発光部９と受光部１５に各別の素子を用いた構成形態（所謂ディスクリートタイプ）を示しているが、本発明の適用においては、このような構成に限らず、発光部及び受光部をパッケージ化した光集積型デバイスを用いる構成形態等、各種形態での実施が勿論可能である。
【００２４】
受光部１５において光電変換された出力は信号処理部１６に送出される。例えば、出力信号は内部のマトリックス回路等で処理され、各種エラー信号（トラッキングエラー信号やフォーカスエラー信号等）が生成され、これらはサーボ制御部１７に送出される。また、再生ＲＦ（Radio Frequency）信号については復調処理や誤り訂正処理等が施される。
【００２５】
信号処理部１６は、例えば、再生ＲＦ信号の時間軸変動量（ジッター量）を検出して、その結果を収差補正制御部１８に送出する。収差補正制御部１８は検出結果に基いて収差補正素子６の制御量を計算するとともに、計算結果に応じた駆動信号を収差補正素子６に対して出力する。
【００２６】
サーボ制御部１７は、上記エラー信号に基いて駆動手段８への駆動信号を生成してトラッキングコイルやフォーカスコイルに電流を流して光学式ヘッド装置３の可動部の駆動制御を行ったり、スピンドルモータ４の回転制御を行う（尚、光学式ヘッド装置３の送り機構（所謂スレッド機構）等、既知の構成部分については図示及び説明を省略する。）。
【００２７】
図２は、光学式ヘッド装置３の光学系について構成例１９の要部を示したものであり、対物レンズ５の外形を把握できるようにした前記（Ｉ）の構成形態を例示している。尚、図中の軸「Ａ」は対物レンズ５の中心を通って光軸方向に延びる中心軸を示し、軸「Ｂ」は収差補正素子６の中心を通って光軸方向に延びる中心軸を示している。
【００２８】
本例に示す対物レンズ５は、その一方の面（光学式記録媒体２との対向面）５ａが平面とされ、その反対側の凸曲面５ｂが球面又は非球面とされている。
【００２９】
保持部材（レンズホルダ）７には、対物レンズ５の受入凹部７ａが形成されており、その底面が取付面７ｂとされて対物レンズ５の周縁部が接着固定される。また、受入凹部７ａとは反対側の面が収差補正素子６の取付面７ｃとされている。
【００３０】
保持部材７に形成された中心孔７ｄについては、その内周面のうち対物レンズ５側に位置する部分２０がテーパー状とされ、図の上方（対物レンズ５に近づくに方向）にいくにつれて内径が大きくされている。そして、最小径の部分によってアパーチャー２１が形成され、当該部分よりも収差補正素子６側にはさらに大径の部分２２が形成されている。
【００３１】
このように、本例では、対物レンズ５と収差補正素子６との間に、保持部材７内のアパーチャー２１が設けられた位置関係となっている。
【００３２】
保持部材７には、取付面７ｂと取付面７ｃとを連通する複数の貫通孔２３、２３、…が形成されており、これらの貫通孔を通して対物レンズ５の外形の一部が収差補正素子６の取付面７ｃ側から見えるように構成されている。即ち、対物レンズ５と収差補正素子６との中心位置合わせを行う場合には、対物レンズ５の中心位置を把握する必要があるが、保持部材７に形成された各貫通孔２３を通して対物レンズ５の外形形状を撮像手段で収差補正素子６側から光学的に認識することで、対物レンズ５の中心位置を特定することができる。例えば、対物レンズ５の外形が円形状をしている場合に、異なる３点位置を検出できれば、これらの点を通る円が一意にきまるので、円中心を検出することができる。つまり、対物レンズの外形形状を既知として、一般には３箇所以上の貫通孔を形成し、これらを通して対物レンズの外周縁を部分的に検出できるように構成すれば良い。
【００３３】
収差補正素子６については、例えば、液晶素子が使用され、その接続部（外部電極部）６ａに上記収差補正制御部１８からの駆動信号が供給されるが、液晶素子に限らず、位相制御素子やホログラム素子等を用いることも可能である。いずれの場合でも充分な製造精度を確保して該素子の中心位置を特定することができるので、その中心軸Ｂを上記した対物レンズ５の中心軸Ａに正確に合わせることができる。
【００３４】
対物レンズ５の中心に対して収差補正素子５の中心を位置決めして、各部を保持部材７に取り付けた後では各貫通孔２３を塞ぐことで遮光する。つまり、組立後に貫通孔２３をそのままにしたのでは、光学的な悪影響が問題になる虞れがあるので、発光部９の光源波長に対して不透明な材料を用いて貫通孔２３を閉塞することが好ましい。
【００３５】
次に、前記（ＩＩ）の構成形態について説明する。
【００３６】
図３は、光学式ヘッド装置３の光学系の構成例２４について要部を示したものであり、収差補正素子６として液晶素子を用いた構成を例示している。
【００３７】
本例において、保持部材７の受入凹部７ａの底面が取付面７ｂとされて対物レンズ５のうち周縁寄りの部分が接着固定される。また、受入凹部７ａとは反対側の面が収差補正素子の取付面７ｃとされている。
【００３８】
保持部材７に形成された中心孔７ｄについては、その内周面が円筒面とされている。そして、対物レンズ５の凸曲面５ｂが中心孔７ｄ内に位置された状態で対物レンズ５が取付面７ｂに固定される（収差補正素子６側からは凸曲面５ｂの外周縁が見える。）。
【００３９】
前記したように保持部材にアパーチャーを設けた場合には、対物レンズとアパーチャーとの間の取付誤差及び収差補正素子とアパーチャーとの間の取付誤差を充分に考慮して、光軸上での中心位置合わせを行う必要があり、作業の正確さを保証することが難しい。そこで、アパーチャーを保持部材ではなく、収差補正素子内に設けることによって、３者間の相対的な位置決めに起因する弊害を排除することができる。
【００４０】
アパーチャーについては、例えば、下記に示す構成形態が挙げられる。
【００４１】
（ＩＩ−１）電極パターンを用いた形態
（ＩＩ−２）波長選択性部材（ダイクロイックミラー等のフィルター）を用いた形態。
【００４２】
先ず、（ＩＩ−１）では、収差補正素子の製造工程において電極パターンを形成する際に、アパーチャーを一緒に形成することができる。
【００４３】
例えば、液晶素子の場合には、ガラス基板に透明の導電材料を用いて円形や環状の電極パターンが形成されるが、その外周縁部においてアパーチャー２５を形成するための電極パターン２６を、半導体製造プロセス技術（フォトリソグラフィ等）で高い位置精度をもって付設することができる。よって、収差補正素子６内においてアパーチャー２５の中心位置を正確に規定できるという利点が得られる。
【００４４】
また、収差補正素子として液晶素子を用いる場合において、該液晶素子内のアパーチャーを規定する電極パターン２６については、組立時に光透過性を有するものとし（通電しない状態）、装置使用時に通電して遮光作用をもたせるように構成することが好ましい。つまり、対物レンズ５の中心に対して収差補正素子６の中心を位置決めする工程では、アパーチャーの存在が作業の邪魔にならないように、アパーチャー２５を規定する電極部を透明状態とする。そして、位置決めの後に組み立てられた光学式ヘッド装置を使用する場合に、アパーチャー２５を規定する電極部に通電することでその光透過率が低下し、これによってアパーチャーとしての機能が実現される。
【００４５】
上記形態（ＩＩ−２）については、例えば、対物レンズ５の中心に対して収差補正素子６の中心を位置決めする工程で使用される光（自然光や照明光源の光等）の波長に対して透過性を有し、装置に使用時に用いられる光源（上記発光部９のレーザ光源等）の波長に対しては遮光性を有する波長選択性部材（ダイクロイックフィルターや干渉フィルター等）を用いて収差補正素子６内にアパーチャーを設ければ良い（図３の電極パターン２６をフィルターに置換する。）。つまり、対物レンズ５と収差補正素子６との中心位置合わせ時において、収差補正素子６の側からみた場合にフィルターの存在が光学的に邪魔にならないようにし、該フィルターを通して対物レンズ側が透けて見えるようにする。そして、位置決めの後に組み立てられた光学式ヘッド装置３の使用時には、発光部９の波長に対してフィルターの反射率が高いか又は透過率が低いために遮光性が発揮され、これによってアパーチャーとしての機能が実現される。
【００４６】
以上のように、形態（ＩＩ）では、収差補正素子６の内部にアパーチャー２５を設けることによって、対物レンズ５と収差補正素子６との２者について相対的な取付精度を考慮すれば良いので、保持部材７に取り付けられた対物レンズ５に対して収差補正素子６の中心位置合わせを容易かつ正確に行うことが可能となる。
【００４７】
例えば、収差補正素子６側からみた対物レンズ５の凸曲面５ｂの外周縁形状から中心位置を検出することができるが、対物レンズ５に対して収差補正素子６を高精度に位置決めするためには、対物レンズ５のうち、収差補正素子６側の面の中心にマーキングを施すことが好ましい。例えば、位置合わせ用マーク２７として、凹部や凸部等を予め対物レンズ５に形成することにより、レンズ中心位置について光学的な認識を正確に行うことができる。このようなマーク（目印）は、対物レンズの金型加工の際にレンズ面と同時に形成することができるので、対物レンズの中心位置を正確に表示できる。また、この方法は収差補正素子６にも適用できるので、該素子にマークをつけておき、対物レンズ及び収差補正素子のマーク同士を位置合わせすることによって両者間の位置決め精度を充分に保証することが可能である。
【００４８】
次に、本発明に係る光学式ヘッド装置の製造方法について、図４を用いて説明する。
【００４９】
尚、本例に示す保持部材７が、図２に示した構成例と相違する部分は、前記貫通孔２３が全く形成されていないことであり、それ以外の事項（対物レンズ５や収差補正素子６の形状等）について基本的な相違はない。つまり、対物レンズ５は保持部材７の一方の取付面７ｂに取り付けられ、収差補正素子６が保持部材７の他方の取付面７ｃに取り付けられる。そして、対物レンズ５と収差補正素子６との間に位置されるアパーチャー２１が保持部材７の中心孔７ｄの内周面における最小径部分で規定される。
【００５０】
対物レンズ５と収差補正素子６との中心位置合わせ工程で使用する装置２８において、対物レンズ５を基準として光学式記録媒体側には、コヒーレント光源（レーザ光源等）２９を配置し、該光源からコリメータレンズ３０等の光学素子を通して平行光束とされた光を対物レンズ５の面５ａに対して垂直に照射する。
【００５１】
作業手順は下記の通りである。
【００５２】
（１）対物レンズ５を保持部材７に取り付けて接着等で固定する
（２）収差補正素子６を保持部材７に取り付ける際に、コヒーレント光源２９を発光させる
（３）対物レンズ５により焦点を結んだ光スポットの中心と収差補正素子６の中心とを位置合わせする
（４）収差補正素子６を位置決めして保持部材７に接着等で固定する。
【００５３】
尚、工程（３）では保持部材７に取り付けられた対物レンズ５を透過した結像スポットの中心と、収差補正素子６の中心とが、共通の光軸上で許容範囲内の精度をもって一致するように、図示しない撮像装置を用いた画像認識処理に基いて効果器（ロボットハンド等）を用いて調整及び設定が行われる。
【００５４】
上記のように、対物レンズ５に対して光学式記録媒体との対向面側からコヒーレント光を照射し、対物レンズ５を透過してその焦点に結像した光スポットの中心と、収差補正素子６の中心とを位置合わせすることによって、対物レンズ５と収差補正素子６との間に設けられるアパーチャー２１の影響を直接受けずに、対物レンズ５に対する収差補正素子６の位置決めを正確に行うことができる。
【００５５】
以上に説明した各構成によれば、対物レンズの中心に対して収差補正素子の中心を精度良く位置合わせして保持部材に取り付けることができるので、対物レンズと収差補正素子との間の中心位置ずれに起因する収差の発生を抑えることができる。よって、収差補正が確実に行われる結果、光学式ヘッド装置による情報の読取や記録性能が向上し、装置の信頼性を高めることができる。
【図面の簡単な説明】
【００５６】
【図１】本発明に係る装置構成例を示す説明図である。
【図２】保持部材に貫通孔を形成した構成例を示す図である。
【図３】収差補正素子内にアパーチャーを設けた構成例を示す図であり、（Ａ）図が断面構成を示す概略図、（Ｂ）図が光軸方向からみた収差補正素子の概略図である。
【図４】本発明に係る光学式ヘッド装置の製造方法の説明図である。
【符号の説明】
【００５７】
１…情報処理装置、２…光学式記録媒体、３…光学式ヘッド装置、５…対物レンズ、６…収差補正素子、７…保持部材、７ｂ、７ｃ…取付面、２１…アパーチャー、２３…貫通孔、２５…アパーチャー、２７…位置合わせ用マーク
【図１】
2005129100.tif 000003
【図２】
2005129100.tif 000004
【図３】
2005129100.tif 000005
【図４】
2005129100.tif 000006